(57)【要約】【課題】  遊技者付近に滞留しようとする汚染された空気を上昇させて天井面の吸込口へ迅速に吸引し、清浄できるようにする。【解決手段】  下方から吸い込んだ空気を清浄して上方から吹き出す送気装置４をパチンコ等が複数列設された遊技機島１の上部に所定間隔おいて複数設置し、天井Ｔに吸込口５を所定間隔おいて複数形成し、吸込口５から吸い込んだ空気をホール外の空気清浄装置７に送り込む送気管６を配管し、空気清浄装置７で清浄した空気を床下を通じて各遊技機島１に供給する供給管８を配管し、供給管８で供給された空気を吹き出す吹出口を遊技機島１の遊技者Ｈ側に開口している。【選択図】図１ 
2005218759.tif 000002
【特許請求の範囲】
【請求項１】
遊技機が設置されたホールの天井面にホール内の空気を吸い込む吸込口を設け、同吸込口から吸い込まれた空気を清浄する空気清浄装置を配設し、同空気清浄装置で清浄された空気をホール内へ吹き出す吹出口をホールの下方に設け、空気を循環させながら清浄できるようにした遊技場空気清浄設備において、前記遊技機の上方に空気を下方から吸い込んで上方から吹き出す送気装置を取り付け、同送気装置でホール内の空気を天井面の吸込口へ上昇させて迅速に吸い込ませるようにしたことを特徴とする遊技場空気洗浄設備。
【請求項２】
吹出口が遊技機前面の棚付近に設けたものである請求項１記載の遊技場空気清浄設備。
【請求項３】
送気装置が、下方に開口した空気の吸込口と上方に開口した空気の吹出口とを通風路で連通し、吸込口から通風路内に空気を吸い込むファンを取り付け、同ファンで吸い込まれた空気を清浄する空気清浄具を吸込口又は通風路内に配設し、空気を清浄できるようにした構造である請求項１又は２記載の遊技場空気清浄設備。
【請求項４】
空気清浄具が、帯電フィルター・マイナスイオン発生器・光触媒のいずれか又はそれらの組み合わせで構成されたものである請求項３記載の遊技場空気清浄設備。
【請求項５】
ファンが横長のクロスフローファンである請求項３又は４記載の遊技場空気清浄設備。
【請求項６】
ホールの遊技機が、パチンコ又はスロットマシンを複数列設させて遊技機島に構成したものである請求項１〜５いずれか記載の遊技場空気清浄設備。
【発明の詳細な説明】
【技術分野】
【０００１】
本発明は、遊技者の付近で滞留するタバコの煙等により汚染された空気を清浄する遊技場空気清浄設備に関する。
【背景技術】
【０００２】
従来、パチンコ店等の遊技場では遊技機毎に灰皿が備えられており、遊技者が喫煙しながら遊技している。タバコから排出された煙等により汚染されたホール内の空気は天井面に設けられた吸込口から吸引されてホール外に設置された空気清浄装置で清浄し、ホール内に供給して循環させることで快適な環境を保持できるようにしている。
【０００３】
ところで、遊技場のホールは一般的に広く且つ天井は高い位置にあるから、前記のような空気清浄装置では遊技者付近の汚染された空気を遠方の吸込口へ迅速に吸引することが困難であり、汚染された空気の滞留時間が長くなる問題があった。また、迅速に吸引するためには能力の高い大型の装置が必要でコストが高くつく問題もあった。
【特許文献１】特開平１１−２２６３５９号公報
【発明の開示】
【発明が解決しようとする課題】
【０００４】
本発明が解決しようとする課題は、従来のこれらの問題点を解消し、遊技者付近に滞留しようとする汚染された空気を上昇させて天井面の吸込口へ迅速に吸引させることで効率的に清浄できるようにする遊技場空気清浄設備を提供することにある。
【課題を解決するための手段】
【０００５】
かかる課題を解決した本発明の構成は、
１）  遊技機が設置されたホールの天井面にホール内の空気を吸い込む吸込口を設け、同吸込口から吸い込まれた空気を清浄する空気清浄装置を配設し、同空気清浄装置で清浄された空気をホール内へ吹き出す吹出口をホールの下方に設け、空気を循環させながら清浄できるようにした遊技場空気清浄設備において、前記遊技機の上方に空気を下方から吸い込んで上方から吹き出す送気装置を取り付け、同送気装置でホール内の空気を天井面の吸込口へ上昇させて迅速に吸い込ませるようにしたことを特徴とする遊技場空気洗浄設備
２）  吹出口が遊技機前面の棚付近に設けたものである前記１）記載の遊技場空気清浄設備
３）  送気装置が、下方に開口した空気の吸込口と上方に開口した空気の吹出口とを通風路で連通し、吸込口から通風路内に空気を吸い込むファンを取り付け、同ファンで吸い込まれた空気を清浄する空気清浄具を吸込口又は通風路内に配設し、空気を清浄できるようにした構造である前記１）又は２）記載の遊技場空気清浄設備
４）  空気清浄具が、帯電フィルター・マイナスイオン発生器・光触媒のいずれか又はそれらの組み合わせで構成されたものである前記３）記載の遊技場空気清浄設備
５）  ファンが横長のクロスフローファンである前記３）又は４）記載の遊技場空気清浄設備
６）  ホールの遊技機が、パチンコ又はスロットマシンを複数列設させて遊技機島に構成したものである前記１）〜５）いずれか記載の遊技場空気清浄設備
にある。
【発明の効果】
【０００６】
本発明によれば、送気装置で遊技者付近の汚染された空気を上昇させるから、遠方の吸込口へ迅速に吸い込まれて効率良く清浄でき、空気清浄装置も小型で吸引力の低いものが採用でき、低コスト高効率の設備となる。
【発明を実施するための最良の形態】
【０００７】
本発明の空気の吹出口は、遊技機前面の棚付近もしくはその下方に設けると、汚染された空気と浄化された空気とを効率的に入れ替えることができて好ましい。また、ホールの床面や壁面隅部に設けることも可能である。
【０００８】
送気装置としては、下方に開口した空気の吸込口と上方に開口した空気の吹出口とを通風路で連通し、吸込口から通風路内に空気を吸い込むファンを取り付け、同ファンで吸い込まれた空気を清浄する空気清浄具を吸込口又は通風路内に配設し、空気を清浄できるようにした構造のものが、空気清浄装置の清浄能力を低減して小型化され、低コストの設備にできるので好ましい。
【０００９】
空気清浄具としては、帯電フィルター・マイナスイオン発生器・光触媒のいずれか又はそれらの組み合わせで構成されたものが用いられる。ファンとしては、横長のクロスフローファンが吸込口を広幅にして効率良く吸い込むことができて好ましい。以下、本発明の実施例を図面に基づいて具体的に説明する。
【実施例１】
【００１０】
図１は実施例の遊技場の空気の循環を示す説明図、図２，３は実施例の遊技機島の斜視図、図４は実施例の送気装置の分解斜視図、図５は実施例の送気装置の縦断面図、図６は実施例の送気装置による上昇気流の説明図である。
【００１１】
本実施例の送気装置４は、図４，５に示すようにキャビネット４ａの下方正面と天面に吸込口４ｂと吹出口４ｃをそれぞれ開口し、吸込口４ｂと吹出口４ｃとを通風路４ｄで連通し、通風路４ｄ内の下部に横長のクロスフローファン４ｅを取り付け、吸込口４ｂに帯電フィルター４ｆを枠部材４ｇで固定し、通風路４ｄ内の両壁面に酸化チタン板４ｈをそれぞれ付設し、クロスフローファン４ｅの上方に紫外線光源４ｉを配設している。
【００１２】
この送気装置４を図２，３に示すようにパチンコ２及びスロットマシン３が複数列設された遊技機島１の上部のランプ取付面１ａに所定間隔おいて複数設置し、図１に示すように天井Ｔに吸込口５を所定間隔おいて複数形成し、吸込口５から吸い込んだ空気をホール外の空気清浄装置７に送り込む送気管６を配管し、空気清浄装置７で清浄した空気を床下を通じて各遊技機島１に供給する供給管８を配管し、供給管８で供給された空気を吹き出す吹出口９をパチンコ２及びスロットマシン３間に開口している。１ｂはランプ、Ｈは遊技者である。
【００１３】
本実施例では、図１，６に示すように来店した遊技者Ｈが所望のパチンコ２又はスロットマシン３の前に着座して喫煙しながら遊技を開始する。タバコからは煙Ｓが排出されて遊技者Ｈの付近の空気が汚染されるが、上方に備えている送気装置４のクロスフローファン４ｅの回転で汚染された空気が滞留することなく吸込口４ｂへ吸引される。
【００１４】
吸引された空気は吸込口４ｂの帯電フィルター４ｆで空気中の煙Ｓや塵等が除去されてクロスフローファン４ｅで上方へ送風され、両壁面の酸化チタン板４ｈが紫外線光源４ｉの紫外線で励起して表面にＯＨラジカルを発現することで通風路４ｄ内を上昇する空気中の悪臭成分を酸化分解するとともに空気中の細菌も減菌し、天面の吹出口４ｃから吹き出される。
【００１５】
吹き出された空気は天井Ｔの吸込口５に吸引されて送気管６でホール外の空気清浄装置７へ送気され、空気清浄装置７でさらに清浄された空気が供給管８で各遊技機島１へ床下を通じて供給され、パチンコ２及びスロットマシン３間の吹出口９からホール内へ供給され、これら一連の工程でホール内の空気が清浄されながら循環して快適な空間に保持される。
【００１６】
本実施例はこのように構成したから、空気を清浄しながら上昇気流を発生させることで、遠方の吸込口５へ迅速に吸い込まれて効率良く清浄でき、ホール外の空気清浄装置７も小型で吸引力の低いものが採用でき、低コスト高効率の空気清浄設備となった。
【００１７】
図７に示すのは実施例の送気装置の取り付け位置の他の例である。図７は実施例の他の例の送気装置の取り付け位置を示す縦断面図である。図中、１ｃは幕板である。
【００１８】
図７（ａ）に示すのは、遊技機島１の上部正面に送気装置４を取り付け、同送気装置４のキャビネット４ａ正面にランプ１ｂを直接取り付けた例である。この例は取り付けスペースが限られている場合に採用される。
【００１９】
また、図７（ｂ）に示すのは、遊技機島１の上部のランプ取付面１ａの上方にさらに幕板１ｃを取り付け、同幕板１ｃの正面に送気装置４を取り付けた例である。この例は送気装置４をランプ１ｂと上下別位置に取り付けることで、横長の大型の送気装置４を採用できるようにしている。
【産業上の利用可能性】
【００２０】
本発明の遊技場空気清浄設備は、遊技場の他、天井が高い大空間の空気清浄に好ましく応用できる。
【図面の簡単な説明】
【００２１】
【図１】実施例の遊技場の空気の循環を示す説明図である。
【図２】実施例の遊技機島の斜視図である。
【図３】実施例の遊技機島の斜視図である。
【図４】実施例の送気装置の分解斜視図である。
【図５】実施例の送気装置の縦断面図である。
【図６】実施例の送気装置による上昇気流の説明図である。
【図７】実施例の他の例の送気装置の取り付け位置を示す縦断面図である。
【符号の説明】
【００２２】
１  遊技機島
１ａ  ランプ取付面
１ｂ  ランプ
１ｃ  幕板
２  パチンコ
３  スロットマシン
４  送気装置
４ａ  キャビネット
４ｂ  吸込口
４ｃ  吹出口
４ｄ  通風路
４ｅ  クロスフローファン
４ｆ  帯電フィルター
４ｇ  枠部材
４ｈ  酸化チタン板
４ｉ  紫外線光源
５  吸込口
６  送気管
７  空気清浄装置
８  供給管
９  吹出口
Ｈ  遊技者
【図１】
2005218759.tif 000003
【図２】
2005218759.tif 000004
【図３】
2005218759.tif 000005
【図４】
2005218759.tif 000006
【図５】
2005218759.tif 000007
【図６】
2005218759.tif 000008
【図７】
2005218759.tif 000009